(57)【要約】【課題】複数の農業マップデータを活用して農業支援を簡単に行うことができる。【解決手段】農業支援システムは、農業に関する複数の農業マップデータを取得するデータ取得部と、複数の農業マップデータを、作物に属する作物グループと、機械に属する機械グループとに分類するデータ分類部と、を備えている。農業支援システムは、データ分類部で分類された作物グループの農業マップデータと、機械グループの農業マップデータとのそれぞれを表示する表示部を備えている。【選択図】図１
2019109792.tif 000002
【特許請求の範囲】
【請求項１】
農業に関する複数の農業マップデータを取得するデータ取得部と、
前記複数の農業マップデータを、作物に属する作物グループと、機械に属する機械グループとに分類するデータ分類部と、
を備えている農業支援システム。
【請求項２】
前記データ分類部で分類された前記作物グループの農業マップデータと、前記機械グループの農業マップデータとのそれぞれを表示する表示部を備えている請求項１に記載の農業支援システム。
【請求項３】
前記データ分類部で分類された前記作物グループの農業マップデータと、前記機械グループの農業マップデータとの相関関係を演算する相関演算部を備えている請求項１又は２に記載の農業支援システム。
【請求項４】
前記データ分類部で分類された前記作物グループに属する複数の農業マップデータのうち、選択された農業マップデータを第１データとして受け付け、且つ、前記データ分類部で分類された前記機械グループに属する複数の農業マップデータのうち、選択された農業マップデータを第２データとして受け付けるデータ選択部を備えている請求項１〜３のいずれかに記載の農業支援システム。
【請求項５】
前記相関演算部は、第１データと、前記第２データとの相関を演算し、
前記表示部は、前記相関演算部で求めた相関を表示する請求項４に記載の農業支援システム。
【請求項６】
農業に関する複数の農業マップデータを取得するデータ取得部と、
前記複数の農業マップデータを、作物に属する作物グループと、機械に属する機械グループとに分類するデータ分類部と、
を備えている農業支援装置。
【請求項７】
前記データ分類部で分類された前記作物グループの農業マップデータと、前記機械グループの農業マップデータとのそれぞれを表示する表示部を備えている請求項６に記載の農業支援装置。
【請求項８】
前記データ分類部で分類された前記作物グループの農業マップデータと、前記機械グループの農業マップデータとの相関関係を演算する相関演算部を備えている請求項６又は７に記載の農業支援装置。
【請求項９】
前記データ分類部で分類された前記作物グループに属する複数の農業マップデータのうち、選択された農業マップデータを第１データとして受け付け、且つ、前記データ分類部で分類された前記機械グループに属する複数の農業マップデータのうち、選択された農業マップデータを第２データとして受け付けるデータ選択部を備えている請求項６〜８のいずれかに記載の農業支援装置。
【請求項１０】
前記相関演算部は、第１データと、前記第２データとの相関を演算し、
前記表示部は、前記相関演算部で求めた相関を表示する請求項１０に記載の農業支援装置。
【発明の詳細な説明】
【技術分野】
【０００１】
本発明は、農業支援システム及び農業支援装置に関する。
【背景技術】
【０００２】
従来、圃場の地図等に様々な情報をプロットすることで圃場地図データを作成する技術として特許文献１が知られている。
特許文献１の圃場管理システムは、圃場地図データを記録する圃場地図レイヤを有する地図データ記録部と、各種の農作業機により圃場に対して実行される作業毎に生成された圃場作業データを記録する機種別圃場作業レイヤを有する圃場作業データ記録部とを備えている。
【先行技術文献】
【特許文献】
【０００３】
【特許文献１】特開２０１７−６８５３３号公報
【発明の概要】
【発明が解決しようとする課題】
【０００４】
さて、近年、特許文献１に示すように、農業に関する複数の圃場地図データを用いて農業支援を行う試みが進められている。しかしながら、複数の圃場地図データが存在していたとしても、当該複数の圃場地図データの活用が十分に進められていないのが実情である。
そこで、本発明は上記問題点に鑑み、複数の農業マップデータを活用して農業支援を簡単に行うことができる農業支援システム及び農業支援装置を提供することを目的とする。
【課題を解決するための手段】
【０００５】
この技術的課題を解決するための本発明の技術的手段は、以下に示す点を特徴とする。
農業支援システムは、農業に関する複数の農業マップデータを取得するデータ取得部と、前記複数の農業マップデータを、作物に属する作物グループと、機械に属する機械グループとに分類するデータ分類部と、を備えている。
農業支援システムは、前記データ分類部で分類された前記作物グループの農業マップデータと、前記機械グループの農業マップデータとのそれぞれを表示する表示部を備えている。
【０００６】
農業支援システムは、前記データ分類部で分類された前記作物グループの農業マップデータと、前記機械グループの農業マップデータとの相関関係を演算する相関演算部を備えている。
農業支援システムは、前記データ分類部で分類された前記作物グループに属する複数の農業マップデータのうち、選択された農業マップデータを第１データとして受け付け、且つ、前記データ分類部で分類された前記機械グループに属する複数の農業マップデータのうち、選択された農業マップデータを第２データとして受け付けるデータ選択部を備えている。
【０００７】
前記相関演算部は、第１データと、前記第２データとの相関を演算し、前記表示部は、前記相関演算部で求めた相関を表示する。
前記表示部は、前記第１データと前記第２データとを可視化して表示する。
農業支援装置は、農業に関する複数の農業マップデータを取得するデータ取得部と、前記複数の農業マップデータを、作物に属する作物グループと、機械に属する機械グループとに分類するデータ分類部と、を備えている。
【０００８】
農業支援装置は、前記データ分類部で分類された前記作物グループの農業マップデータと、前記機械グループの農業マップデータとのそれぞれを表示する表示部を備えている。
農業支援装置は、前記データ分類部で分類された前記作物グループの農業マップデータと、前記機械グループの農業マップデータとの相関関係を演算する相関演算部を備えている。
【０００９】
農業支援装置は、前記データ分類部で分類された前記作物グループに属する複数の農業マップデータのうち、選択された農業マップデータを第１データとして受け付け、且つ、前記データ分類部で分類された前記機械グループに属する複数の農業マップデータのうち、選択された農業マップデータを第２データとして受け付けるデータ選択部を備えている。
【００１０】
前記相関演算部は、第１データと、前記第２データとの相関を演算し、前記表示部は、前記相関演算部で求めた相関を表示する。
【発明の効果】
【００１１】
本発明によれば、複数の農業マップデータを活用して農業支援を簡単に行うことができる。
【図面の簡単な説明】
【００１２】
【図１】農業支援システムの概略図である。
【図２】農業支援システムのブロック図である。
【図３】トラクタ、コンバイン、田植機、マルチコプター等の機械で検出したデータの一覧を示す図である。
【図４】農業マップデータを示す図である。
【図５】管理情報、基本情報、データとの関係を示す図である。
【図６】支援画面Ｍ１の一例を示す図である。
【図７Ａ】管理情報と全体の相関係数ＣＴとの関係を示す図である。
【図７Ｂ】基本情報と全体の相関係数ＣＴとの関係を示す図である。
【図８】支援画面Ｍ２の一例を示す図である。
【図９】選択マップＦ２と、相関係数ＣＴとを表示する画面の一例を示している。
【発明を実施するための形態】
【００１３】
以下、本発明の実施の形態を図面に基づいて説明する。
農業支援システムは、農業を支援するシステムであって、例えば、農業に関する様々なデータの表示等の支援を行う。
図１、２に示すように、農業支援システムは、農業支援装置１を備えている。農業支援装置１は、例えば、農家、営農会社、農業機械メーカ、農業のサービス等に設置された固定型のコンピュータ、管理者、作業者等が持ち運ぶことができる携帯型のコンピュータである。この実施形態では、農業支援装置１は、固定型のコンピュータであって、例えば、サーバである。
【００１４】
農業支援装置１は、様々なデータ（情報）を取得可能であり、例えば、データとして農業マップデータを取得する。農業マップデータとは、農業に関するデータと位置とが関連付けられたデータのことである。農業に関するデータとは、作物データ、土壌データ、気象データ（環境データ）、機械データ、作業データ等である。
作物データは、穀物（穀類）、野菜、果実、豆類、いも類等の作物に関するデータであって、作物の収量を示すデータ（収量データ）、作物の化学成分を示すデータ（成分データ）、作物の生育を示すデータ（生育データ）等である。土壌データは、作物を栽培する圃場等の場所の土壌に関するデータであって、土壌の化学成分を示すデータ（土壌成分データ）、土壌の硬度を示すデータ（土壌硬度データ）等である。
【００１５】
気象データは、風向、風速、気温、湿度、晴れ、曇り、雨、雷、雪、降雨量、降雪量、降水確率、気圧等のデータである。機械データは、農業を行う機械に関する様々なデータであって、例えば、トラクタ等の農業車両、田植機、移植機、コンバイン等の収穫機、施肥機、薬剤散布機、成形機、草刈機、調製機、耕耘機等における操縦、走行等の稼働データである。
【００１６】
作業データとは、農業を行う機械で圃場に対して行った作業に関するデータであって、移植量、施肥量、薬剤散布量、播種量等である。
即ち、農業マップデータは、作物データ（収量データ、成分データ、生育データ）、土壌データ（土壌成分データ）、気象データ（風向、風速、気温、湿度、晴れ、曇り、雨、雷、雪、降雨量、降雪量、降水確率、気圧等）、機械データ（農業車両、田植機、移植機、コンバイン等の収穫機、施肥機、薬剤散布機、播種機、成形機、集草機、拡散機、草刈機、調製機等の稼働データ）、作業データ（移植量、施肥量、薬剤散布量、播種量）のいずれかの農業に関するデータと、位置とが関連付けられたデータである。このような農業マップデータは、様々な機械によって検出することができる。
【００１７】
次に、トラクタ、コンバイン、田植機、マルチコプターの機械を例にとり、農業マップデータの取得について説明する。
図１に示すように、トラクタ１０は、車体１１と、原動機１２と、変速装置１３とを備えている。車体１１は、車輪型又はクローラ型の走行装置を支持している。車体１１は、走行装置によって走行することが可能である。原動機１２は、ディーゼルエンジン、ガソリンエンジン等の内燃機関、電動モータ等である。変速装置１３は、走行装置の変速ができると共に、車体１１の前進、後進の切り替えを行うことができる。車体１１には、運転席１４が設けられ、運転席１４には操縦装置１５が設けられている。車体１１の後部には、３点リンク機構等で構成された連結部１６が設けられている。連結部１６には、インプルメント（アタッチメント）１７が着脱可能である。インプルメント１７を連結部１６に連結することによって、車体１１によってインプルメント１７を牽引することができる。インプルメント１７は、耕耘する耕耘機、肥料を散布する施肥機、薬剤を散布する薬剤散布機、種を撒く播種機、収穫を行う収穫機等である。
【００１８】
車体１１には、位置検出装置７０Ａが設けられている。位置検出装置７０Ａは、ＧＰＳ、みちびき等の測位衛星のデータ（測位衛星システム）に基づいて自己の位置（緯度、経度）を検出する装置である。なお、位置検出装置７０Ａは、加速度を検出する加速度センサ、角速度を検出するジャイロセンサ等の慣性装置を有していてもよく、慣性装置で検出された加速度、角速度を用いて位置を補正してもよいし、その他の補正信号等によって位置を補正してもよく限定されない。
【００１９】
図２に示すように、トラクタ１０は、制御装置１９と、記憶部２０Ａとを備えている。制御装置１９は、運転席１４の周りに設置された操作具（操作レバー、操作スイッチ、操作ボリューム等）を操作したときの操作信号、車体１１に搭載された様々なセンサの検出信号等に基づいてトラクタ１の走行系や作業系の制御を行う。例えば、制御装置１９は、連結部１６を操作具の操作信号に基づいて昇降する制御を行ったり、アクセルペダルセンサに基づいてディーゼルエンジンの回転数を制御する。なお、制御装置１９は、トラクタ１の作業系や走行系を制御するものであればよく、制御方式は限定されない。
【００２０】
また、トラクタ１０は、記憶部２０Ａは、不揮発性のメモリ等であり、様々な情報を記憶する。記憶部２０Ａは、制御装置１９、インプルメント１７等に接続されていて、トラクタ１０によって作業を行った際の機械データ、作業データ、収量データを記憶する。
図３に示すように、記憶部２０Ａは、トラクタ１０に装着したインプルメント１７が、耕耘機の場合は耕耘爪の回転数、施肥機の場合は肥料を撒くディスク等の回転数、薬剤散布機の場合は薬剤を吐出するポンプの吐出量、吐出圧、播種機の場合は種を繰り出すローラ等の繰出部の回転数、収穫機及び草刈機の場合は切刃等の刈取部の回転数等を機械データとして記憶する。また、記憶部２０Ａは、トラクタ１０のＰＴＯ回転数、車速、燃費（燃料消費量）、操作具の操作量、耕深（深さ）、変速装置１３の変速段、原動機１２の回転数等の稼働データを機械データとして記憶する。また、インプルメント１７が施肥機の場合は施肥量、薬剤散布機の場合は薬剤散布量、播種機の場合は播種量を作業データとして記憶する。記憶部２０Ａは、インプルメント１７が収穫機である場合、収穫機で収穫した収穫量（収量データ）を記憶する。
【００２１】
また、記憶部２０Ａは、機械データ（耕耘爪の回転数、ディスクの回転数、ポンプの吐出量、吐出圧、繰出部の回転数、刈取部の回転数、ＰＴＯ回転数、車速、操作具の操作量、変速段、原動機の回転数等）、作業データ（施肥量、薬剤散布量、播種量）、作物データ（収穫量）を記憶する際には、位置検出装置７０Ａで検出された位置（検出位置）を対応付けて記憶する。なお、記憶部２０Ａは、位置検出装置７０Ａで検出された位置（検出位置）を補正した位置（補正位置）と、機械データ、作業データ、作物データのそれぞれに対応付けて記憶してもよい。
【００２２】
したがって、トラクタ１０によって作業を行うことにより、トラクタ、収穫機、施肥機、薬剤散布機、播種機のそれぞれの稼働データと位置とを対応付けた複数の農業マップデータを取得することができる。また、トラクタ１０によって作業を行うことにより、施肥量、薬剤散布量、播種量のそれぞれと位置とを対応付けた複数の農業マップデータを取得することができる。さらに、トラクタ１０によって作業を行うことにより、収穫量と位置とを対応付けて農業マップデータとして取得することができる。
【００２３】
図１、図２に示すように、コンバイン３０は、車体３１と、原動機３２と、グレンタンク３３と、刈取装置３４と、脱穀装置（図示省略）と、制御装置３５、測定装置３６とを備えている。原動機３２、グレンタンク３３及び脱穀装置は車体３１に設けられている。刈取装置３４は、車体３１の前部に設けられている。刈取装置３４は、穀物を刈り取る装置である。脱穀装置は、刈り取った穀物を脱穀する装置である。グレンタンク３３は、脱穀された穀物を貯留するタンクである。制御装置３５は、原動機３２を制御したり、脱穀装置を制御したり、刈取装置３４を制御する。なお、コンバイン３０にも、トラクタ１０同様に操作具（操作レバー、操作スイッチ、操作ボリューム等）が設けられている。
【００２４】
測定装置３６は、収穫した作物の重量（収量）を検出するロードセル、収穫した作物の水分量、タンパク量を測定する分光分析装置である。したがって、測定装置３６は、作物の収穫量、作物の水分量（水分含有率）、タンパク量（タンパク含有率）を検出することができる。
また、車体３１には、位置検出装置７０Ｂが設けられている。位置検出装置７０Ｂは、位置（緯度、経度）を検出する装置であり、位置検出装置７０Ａと同様の構成であるため説明を省略する。
【００２５】
コンバイン３０は、記憶部２０Ｂを備えている。図３に示すように、記憶部２０Ｂは、コンバイン３０にて収穫作業を行った場合、作物の収穫量を作物データの収量データとし、作物の水分含有率及びタンパク含有率を作物データの成分データとして記憶する。記憶部２０Ｂは、作物データ（収穫量、水分含有率、タンパク含有率）を位置検出装置７０Ｂで検出された位置（検出位置）を対応付けて記憶する。なお、記憶部２０Ｂは、位置検出装置７０Ｂで検出された位置（検出位置）を補正した位置（補正位置）と、作物データとに対応付けて記憶してもよい。
【００２６】
したがって、コンバイン３０によって作業を行うことにより、収量データ、成分データのそれぞれと位置とを対応付けた複数の農業マップデータを取得することができる。なお、コンバイン３０においても、トラクタ１０と同様に、車速、操作具の操作量、原動機３２の回転数等の稼働データを機械データとして取得して、機械データと位置とを対応付けて記憶部２０Ｂに記憶してもよい。
【００２７】
図１に示すように、田植機４０は、車体４１と、原動機４２と、変速装置４３と、苗植付装置４４とを備えている。原動機４２及び変速装置４３は車体４１に設けられている。植付装置４４は車体４１の後部に設けられている。苗植付装置４４は、車体４１の後部に設けられた苗載せ台４５に搭載された苗を当該苗載せ台４５から取り出して、圃場等に植え付ける。
また、車体４１の後部側には、施肥機、播種機等のインプルメント１７が取付可能である。また、車体４１には、位置検出装置７０Ｃが設けられている。位置検出装置７０Ｃは、位置（緯度、経度）を検出する装置であり、位置検出装置７０Ａと同様の構成であるため説明を省略する。なお、田植機４０にも、トラクタ１０、コンバイン３０と同様に操作具（操作レバー、操作スイッチ、操作ボリューム等）が設けられている。
【００２８】
図２に示すように、田植機４０は、制御装置４６と、記憶部２０Ｃとを備えている。制御装置４６は、原動機４２を制御したり、変速装置４３等を制御する。なお、田植機４０にも、トラクタ１０及びコンバイン３０と同様に操作具（操作レバー、操作スイッチ、操作ボリューム等）が設けられている。
図３に示すように、記憶部２０Ｃは、田植機４０にて田植作業を行った場合、苗植付装置４４で植え付けた移植量を作業データとして記憶する。移植量とは、田植機４０に個別に設定された植付の条数であり、例えば、３条、４条、５条、８条、１０条等の条数である。また、記憶部２０Ｃは、田植機４０にインプリメント１７を装着した場合、施肥量、播種量を作業データとして記憶することができる。
【００２９】
また、記憶部２０Ｃは、作業データ（移植量、施肥量、播種量）を位置検出装置７０Ｃで検出された位置（検出位置）を対応付けて記憶する。なお、記憶部２０Ｃは、位置検出装置７０Ｃで検出された位置（検出位置）を補正した位置（補正位置）と、作業データとに対応付けて記憶してもよい。
したがって、田植機４０によって作業を行うことにより、移植量、施肥量、播種量のそれぞれと、位置とを対応付けた複数の農業マップデータを取得することができる。なお、田植機４０においても、トラクタ１０、コンバイン３０と同様に、車速、操作具の操作量、原動機３２の回転数等の稼働データを機械データとして取得して、機械データと位置とを対応付けて記憶部２０Ｃに記憶してもよい。
【００３０】
図１に示すように、マルチコプター５０は、機体５０ａと、機体５０ａに設けられたアーム５０ｂと、アーム５０ｂに設けられた回転翼５０ｃと、機体５０ａに設けられたスキッド５０ｄとを有している。回転翼５０ｃは、飛行するための揚力を発生させる装置で、回転力を付与するロータとロータの駆動によって回転するブレード（プロペラ）とを含んでいる。
【００３１】
また、マルチコプター５０は、撮像装置５０ｅを有している。撮像装置５０ｅは、赤外線カメラ等で構成され、圃場の作物を撮像可能な装置である。
また、マルチコプター５０は、位置検出装置７０Ｄを有している。位置検出装置７０Ｄは、位置（緯度、経度）を検出する装置であり、位置検出装置７０Ａと同様の構成であるため説明を省略する。
【００３２】
マルチコプター５０は、圃場上を飛行して、圃場上の作物を空撮し、撮像装置５０ｅで撮像した画像（撮像画像）に、位置検出装置７０Ｄで検出された位置を対応付けて撮像データとする。撮像データは、マルチコプター５０に設けられた記憶部２０Ｄに記憶される。撮像データは、解析することで、ＤＶＩ、ＲＶＩ、ＮＤＶＩ、ＧＮＤＶＩ、ＳＡＶＩ、ＴＳＡＶＩ、ＣＡＩ、ＭＴＣＩ、ＲＥＰ、ＰＲＩ、ＲＳＩ等の植生指標などにより生育データに変換されるデータである。また、記憶部２０Ｄは、回転翼５０ｃの回転数、飛行高度等の稼働データを機械データとして記憶することができる。
【００３３】
したがって、マルチコプター５０を圃場の上空に飛行させることによって、作物の生育を示すデータ（生育データ）の元となる撮像データを取得することができる。即ち、マルチコプター５０によっても生育データと位置とを対応付けた農業マップデータを取得することができる。また、回転翼５０ｃの回転数、飛行高度の稼働データ（機械データ）と、位置とを対応付けた複数の農業マップデータを取得することができる。
【００３４】
なお、作物を作付けする前等に、マルチコプター５０を圃場の上空に飛行させて撮像画像を取得しておき、取得した撮像画像を解析することによって、圃場の土壌データにおける土壌成分データを取得するようにしてもよい。この場合は、マルチコプター５０によって土壌データと位置とを対応付けた農業マップデータを取得することができる。また、マルチコプター５０に薬剤散布機等を装着した場合は、作業データとして薬剤散布量を取得することができる。
【００３５】
以上、トラクタ、コンバイン、田植機等の農業機械、マルチコプター等の飛行体によって、図４に示すように、様々なデータ（様々な農業マップデータ）を取得することができる。また、農業マップデータには、作物データ、土壌データ、機械データ、作業データと位置（緯度、経度）の他に、月、日、時刻等の時間情報が含まれている。時間情報は、例えば、位置検出装置７０Ａ、７０Ｂ、７０Ｃ、７０Ｄが位置を検出した時間、トラクタ１０、コンバイン３０、田植機４０、マルチコプター５０等の機械が、作物データ、機械データ、作業データ、土壌データを検出した時間等である。
【００３６】
また、農業マップデータには、作物データ、土壌データ、機械データ、作業データ、位置、時間情報の他に、種別が含まれている。種別とは、何のデータであるか、或いは、何のマップであるかを把握するための情報である。データ毎又はマップ毎に種別が割り当てられる。例えば、トラクタ１０、コンバイン３０、田植機４０、マルチコプター５０等が農業支援装置１に農業マップデータを送信するとき、トラクタ１０、コンバイン３０、田植機４０、マルチコプター５０等がデータを検出したとき、データを記憶部２０Ａ、２０Ｂ、２０Ｃ、２０Ｄに記憶するとき等に、データの種別又はマップの種別が、作業者又は管理者等の手動における入力作業によって割り当てられる。なお、農業支援装置１がデータを取得した後に、データの種別又はマップの種別を、作業者又は管理者等の手動における入力作業によって割り当てても良い。なお、データの種別又はマップの種別は、自動で割り当ててもよい。データの種別のことを「データ種別」、マップの種別のことを「マップ種別」という。上述した機械は一例であり、トラクタ、コンバイン、田植機、マルチコプター以外の機械から、農業マップデータを得るようにしてもよく限定されない。
【００３７】
図２に示すように、農業支援装置１は、データ取得部２を備えている。データ取得部２は、農業支援装置１に設けられた電気・電子部品、当該農業支援装置１に格納されたプログラム等から構成されている。データ取得部２は、複数の農業マップデータを取得する。例えば、トラクタ１０、コンバイン３０、田植機４０、マルチコプター５０から直接通信又は間接通信により複数の農業マップデータを取得する。
【００３８】
トラクタ１０、コンバイン３０、田植機４０、マルチコプター５０には、それぞれ通信装置６０Ａ、６０Ｂ、６０Ｃ、６０Ｄが設けられている。通信装置６０Ａ、６０Ｂ、６０Ｃ、６０Ｄは、農業支援装置１に直接通信及び間接通信のいずれかを行う通信モジュールであって、例えば、通信規格であるＩＥＥＥ８０２．１１シリーズのＷｉ-Ｆｉ（Wireless Fidelity、登録商標）、ＢＬＥ(Bluetooth(登録商標) Low Energy）、ＬＰＷＡ(Low Power, Wide Area)、ＬＰＷＡＮ(Low-Power Wide-Area Network)等により無線通信を行うことができる。また、通信装置６０Ａ、６０Ｂ、６０Ｃ、６０Ｄは、例えば、携帯電話通信網又はデータ通信網などにより無線通信を行うことができる。
【００３９】
直接通信の場合、データ取得部２は、定期的又は不定期に、通信装置６０Ａ、６０Ｂ、６０Ｃ、６０Ｄに対して、農業マップデータの送信を要求する。通信装置６０Ａ、６０Ｂ、６０Ｃ、６０Ｄが農業マップデータの送信の要求を受信すると、トラクタ１０、コンバイン３０、田植機４０、マルチコプター５０は、要求に応じて、記憶部２０Ａ、２０Ｂ、２０Ｃ、２０Ｄに記憶された農業マップデータを通信装置６０Ａ、６０Ｂ、６０Ｃ、６０Ｄに介して農業支援装置１に送信する。農業支援装置１がトラクタ１０、コンバイン３０、田植機４０、マルチコプター５０から送信された農業マップデータを受信すると、データ取得部２は、農業マップデータを受け付ける。或いは、直接通信の場合、トラクタ１０、コンバイン３０、田植機４０、マルチコプター５０のそれぞれに設けた通信装置６０Ａ、６０Ｂ、６０Ｃ、６０Ｄから農業支援装置１に対して、記憶部２０Ａ、２０Ｂ、２０Ｃ、２０Ｄの農業マップデータを送信する。農業支援装置１がトラクタ１０、コンバイン３０、田植機４０、マルチコプター５０から送信された農業マップデータを受信すると、データ取得部２は、農業マップデータを取得する。
【００４０】
なお、直接通信の場合において、農業支援装置１が生育データの元となる撮像データを受信した場合は、当該農業支援装置１は、撮像データを生育データに変換した後、生育データをデータ取得部２に受け渡すことで、データ取得部２は、生育データに対応する農業マップデータを取得することができる。
一方、間接通信の場合、通信装置６０Ａ、６０Ｂ、６０Ｃ、６０Ｄは、定期的又は不定期に、記憶部２０Ａ、２０Ｂ、２０Ｃ、２０Ｄに記憶した農業マップデータを携帯端末６１に送信する。携帯端末６１は、スマートフォン、タブレット、ＰＤＡ等であって、農業マップデータを受信すると一時的に受信した農業マップデータを記憶（保存）する。データ取得部２は、定期的又は不定期に、携帯端末６１に対して、農業マップデータの送信を要求する。携帯端末６１が農業マップデータの送信の要求を受信すると、当該携帯端末６１は一時的に保存していた農業マップデータを農業支援装置１に送信する。農業支援装置１が携帯端末６１から送信された農業マップデータを受信すると、データ取得部２は、農業マップデータを受け付ける。或いは、間接通信の場合、携帯端末６１から農業支援装置１に対して、農業マップデータを送信する。農業支援装置１が携帯端末６１から送信された農業マップデータを受信すると、データ取得部２は、農業マップデータを取得する。
【００４１】
なお、間接通信の場合において、携帯端末６１が生育データの元となる撮像データを受信した場合は、当該携帯端末６１が撮像データを生育データに変換してもよい。或いは、直接通信と同様に、農業支援装置１が撮像データを受信した後に当該農業支援装置１が撮像データを生育データに変換してもよい。
さて、データ取得部２は、外部のネットワーク（ＷＡＮ等）を介して、気象庁のサーバ等に接続し、当該気象庁が提供する気象データに位置が付与された農業マップデータを取得する。データ取得部２は、気象情報を提供する気象情報提供会社等のサーバにアクセスすることによって、気象データに位置が付与された農業マップデータを取得してもよいし、その他の情報提供会社が提供する気象情報を取得してもよく、気象情報の取得の方法は限定されない。
【００４２】
したがって、農業支援装置１は、通信装置６０Ａ、６０Ｂ、６０Ｃ、６０Ｄから送信された農業マップデータ、及び気象庁等から送信された農業マップデータを取得することができる。
上述した実施形態では、トラクタ１０、コンバイン３０、田植機４０、マルチコプター５０のそれぞれに通信装置６０Ａ、６０Ｂ、６０Ｃ、６０Ｄが設けられている場合に、データ取得部２によって農業マップデータを取得することについて説明したが、通信装置以外でも農業マップデータの取得が可能である。
【００４３】
図２に示すように、トラクタ１０、コンバイン３０、田植機４０、マルチコプター５０のそれぞれには、ＵＳＢメモリ、ＳＤカード等の電子記憶媒体である記憶媒体が接続可能な入出力装置６３を備えている。入出力装置６３は、トラクタ１０、コンバイン３０、田植機４０、マルチコプター５０の制御装置、表示装置等に設けられていて、データを記憶媒体に書き込んだり、記憶媒体の情報を取得することが可能である。記憶媒体に入出力装置６３を接続すると、記憶部２０Ａ、２０Ｂ、２０Ｃ、２０Ｄに記憶した農業マップデータが記憶媒体に転送される。記憶媒体は、携帯端末６１、又は、パーソナルコンピュータ等の固定端末６４に接続可能である。記憶媒体を、携帯端末６１又は固定端末６４に接続すると、当該記憶媒体が記憶している農業マップデータが携帯端末６１又は固定端末６４に転送される。携帯端末６１又は固定端末６４から農業支援装置１に対して、農業マップデータを送信する。農業支援装置１が携帯端末６１又は固定端末６４から送信された農業マップデータを受信すると、データ取得部２は、農業マップデータを受け付ける。
【００４４】
したがって、農業マップデータが記憶媒体を介して携帯端末６１又は固定端末６４に転送された後、農業支援装置１は、携帯端末６１又は固定端末６４から送信された農業マップデータを受信することによって、当該農業マップデータを取得することができる。
なお、記憶媒体を用いた場合において、携帯端末６１又は固定端末６４が撮像データを受信した場合は、当該携帯端末６１又は固定端末６４が撮像データを生育データに変換してもよい。或いは、直接通信と同様に、農業支援装置１が撮像データを受信した後に当該農業支援装置１が撮像データを生育データに変換してもよい。
【００４５】
農業支援装置１は、記憶部３を備えている。記憶部３は、農業マップデータを記憶するマップデータ記憶部３Ａと、相関に関する情報を記憶する相関記憶部３Ｂとを含んでいる。マップデータ記憶部３Ａ及び相関記憶部３Ｂは、不揮発性のメモリ等で構成されている。
マップデータ記憶部３Ａは、データ取得部２が農業マップデータを取得した場合、取得した農業マップデータを記憶する。図５に示すように、マップデータ記憶部３Ａに農業マップデータを記憶する場合、農業マップデータに文字、英数字等で示された管理情報が割り当てられ、管理情報と共に農業マップデータが記憶される。管理情報とは、農業マップデータの演算、検索、整理等を行い易くするために設定された情報である。例えば、管理情報は、データ項目（作物データ、土壌データ、気象データ、機械データ、作業データ）、データ種別又はマップ種別を示す情報が割り当てられている。例えば、管理情報のうち、上位３桁の文字等がデータ項目を示し、データ項目に続く５桁の文字等がデータ種別又はマップ種別を示し、データ種別又はマップ種別に続く１０桁の文字が農業マップデータである。例えば、生育マップで１０番目に取得したデータである場合、管理情報は、「００１−００４−００００００００１０」となる。
【００４６】
農業支援装置１は、表示制御部４と、データ分類部７とを備えている。表示制御部４及びデータ分類部７は、農業支援装置１に設けられた電気・電子部品、当該農業支援装置１に格納されたプログラム等から構成されている。
表示制御部４は、農業支援装置１に接続された携帯端末６１及び固定端末６４のいずれかの表示部６５、６６の表示を制御する。表示部６５、６６は、液晶モニタ、液晶パネル等により構成され、様々な表示を行うことができる。例えば、表示部６５、６６は、複数の農業マップデータを可視化した複数の農業マップを表示する。
【００４７】
データ分類部７は、複数の農業マップデータを、作物グループと、機械グループとに分類する。作物グループとは、作物に属するグループ、即ち、作物を栽培するに際して直接的に関わるグループである。例えば、作物データ（収量データ、成分データ、生育データ）、土壌データ（土壌成分データ）、気象データ（風向、風速、気温、湿度、晴れ、曇り、雨、雷、雪、降雨量、降雪量、降水確率、気圧等）、作業データ（移植量、施肥量、薬剤散布量、播種量）は、作物グループである。機械グループとは、機械に属するグループであり、機械データ（農業車両、田植機、移植機、コンバイン等の収穫機、施肥機、薬剤散布機、播種機、成形機、集草機、拡散機、草刈機、調製機等の稼働データ）である。言い換えれば、作物を栽培するに際して、機械に属するグループ以外のデータを作物グループに分類する。
【００４８】
データ分類部７は、複数の農業マップデータの表示、演算、解析等の処理を実行する際に、複数の農業マップデータを作物グループと、機械グループとに分類する。例えば、複数の農業マップデータに対応する農業マップを表示する場合に、作物グループと、機械グループとに分類を行う。
次に、表示制御部４、データ分類部７の構成について詳しく説明する。
【００４９】
例えば、固定端末６４が農業支援装置１にログインすると、表示制御部４等の制御によって固定端末６４の表示部６５にメニュー等を選択するメニュー画面が表示される。以下、固定端末６４を例にとり説明を行うが当然に、携帯端末６１に適用可能である。
メニュー画面において、ボタン等が選択されて所定の操作が行われると、固定端末６４は、農業支援装置１に対して、マップ支援の要求を行う。図６に示すように、農業支援装置１の表示制御部４は、固定端末６４の要求に応じて、当該固定端末６４の表示部６６に支援画面Ｍ１を表示する。
【００５０】
支援画面Ｍ１は、第１マップ表示部８１を含んでいる。第１マップ表示部８１は、マップデータ記憶部３Ａに記憶した農業マップデータを可視化した農業マップを表示する。第１マップ表示部８１は、作物マップ表示部８１Ａと、機械マップ表示部８１Ｂとを有している。作物マップ表示部８１Ａは、作物グループに属する農業マップデータを可視化した農業マップＦ１１を表示する。機械マップ表示部８１Ｂは、機械グループに属する農業マップデータを可視化した農業マップＦ１２を表示する。以下、説明の便宜上、作物グループに属する農業マップデータのことを「作物グループデータ」といい、機械グループに属する農業マップデータのことを「機械グループデータ」という。
【００５１】
例えば、表示制御部４の制御によって、農業マップＦ１１、Ｆ１２を表示する際、まず、データ分類部７は、マップデータ記憶部３Ａを参照し、当該マップデータ記憶部３Ａに記憶されている複数の農業マップデータを作物グループと、機械グループとに分類する。
表示制御部４は、作物グループデータを農業マップＦ１１に変換して、変換した農業マップＦ１１を作物マップ表示部８１Ａに表示する。詳しくは、表示制御部４は、作物グループデータにおける数値等のデータ及び位置（緯度、経度）を参照する。一方、表示制御部４は、作物マップ表示部８１Ａにおけるフィールドを複数のエリアＱｎ（ｎ＝１，２，３・・・ｎ）に区分し、作物グループデータにおいて、区分されたエリアＱｎのそれぞれに入る複数のデータＧｎ［ｉ］（ｎ：区分、Ｇｎ［ｉ］：データ、i：データ数）を平均した平均値を代表値Ｄｎ（ｎ＝１，２，３・・・ｎ）に設定する。或いは、表示制御部４は、作物グループデータにおいて、区分されたエリアＱｎのそれぞれに入る複数のデータＧｎ［ｉ］を積算した積算値を代表値Ｄｎに設定する。或いは、表示制御部４は、平均値及び積算値をエリアＱｎの面積で割った面積辺りの数値を代表値Ｄｎに設定する。
【００５２】
表示制御部４は、代表値Ｄｎを求めた後、当該代表値Ｄｎの大きさ（値）に応じて、複数のグループ（複数のランク）が割り当て、ランク毎に色等を変化させることによって、作物グループデータに対応する農業マップＦ１１を表示する。即ち、作物マップ表示部８１Ａは、圃場等を示したフィールドを複数に分割して、エリアＱｎに作物グループデータのデータを割り当てたメッシュ型の農業マップを表示する。また、上述した実施形態では、農業マップＦ１１をメッシュ型のマップで可視化することを例示したが、農業マップＦ１１の可視化したマップは、上述した例に限定されない。
【００５３】
作物マップ表示部８１Ａには、複数の農業マップＦ１１が縦又は横に並べられて表示される。図６の例では、スクロールバーをスライドすることによって、他の農業マップＦ１１を表示することができる。作物マップ表示部８１Ａに農業マップＦ１１を表示する場合、表示制御部４は、農業マップＦ１１の周辺に、農業マップＦ１１のマップ種別、データ種別、農業マップＦ１１の元となった農業マップデータの取得日等のマップ基本情報を表示する。なお、農業マップＦ１１の基本情報（マップ種別、データ種別、取得日等）は、携帯端末６１及び固定端末６４のいずれかを農業支援装置１に接続して、基本情報を入力することによって、農業マップデータ（管理情報）毎に基本情報が関連付けられる。なお、基本情報は自動的に生成されて管理情報に対応付けられ、マップデータ記憶部３Ａに記憶されてもよく、入力方法及び関連付けの方法等について限定はされない。
【００５４】
作物グループデータと同様に、表示制御部４は、機械グループデータを農業マップＦ１２に変換して、変換した農業マップＦ１２を機械マップ表示部８１Ｂに表示する。詳しくは、表示制御部４は、機械グループデータにおける数値等のデータ及び位置（緯度、経度）を参照する。一方、表示制御部４は、機械マップ表示部８１Ｂにおけるフィールドを複数のエリアＱｎに区分し、機械グループデータにおいて、区分されたエリアＱｎのそれぞれに入る複数のデータＧｎ［ｉ］を平均した平均値を代表値Ｄｎに設定する。或いは、表示制御部４は、機械グループデータにおいて、区分されたエリアＱｎのそれぞれに入る複数のデータＧｎ［ｉ］を積算した積算値を代表値Ｄｎに設定する。或いは、表示制御部４は、平均値及び積算値をエリアＱｎの面積で割った面積辺りの数値を代表値Ｄｎに設定する。
【００５５】
表示制御部４は、代表値Ｄｎを求めた後、当該代表値Ｄｎの大きさ（値）に応じて、複数のグループ（複数のランク）が割り当て、ランク毎に色等を変化させることによって、機械グループデータに対応する農業マップＦ１２を表示する。即ち、機械マップ表示部８１Ｂは、圃場等を示したフィールドを複数に分割して、エリアＱｎに機械グループデータのデータを割り当てたメッシュ型の農業マップを表示する。また、上述した実施形態では、農業マップＦ１２をメッシュ型のマップで可視化することを例示したが、農業マップＦ１２の可視化したマップは、上述した例に限定されない。
【００５６】
機械マップ表示部８１Ｂには、複数の農業マップＦ１２が縦又は横に並べられて表示される。図６の例では、スクロールバーをスライドすることによって、他の農業マップＦ１２を表示することができる。
機械マップ表示部８１Ｂに農業マップＦ１２を表示する場合、表示制御部４は、農業マップＦ１２の周辺に、農業マップＦ１２のマップ種別、データ種別、農業マップＦ１２の元となった農業マップデータの取得日等のマップ基本情報を表示する。なお、農業マップＦ１２の基本情報（マップ種別、データ種別、取得日等）は、携帯端末６１及び固定端末６４のいずれかを農業支援装置１に接続して、基本情報を入力することによって、農業マップデータ（管理情報）毎に基本情報が関連付けられる。なお、基本情報は自動的に生成されて管理情報に対応付けられ、マップデータ記憶部３Ａに記憶されてもよく、入力方法及び関連付けの方法等について限定はされない。
【００５７】
以上によれば、農業支援システム、農業支援装置１は、複数の農業マップデータを取得するデータ取得部２と、複数の農業マップデータを、作物に関する作物グループと、機械に関する機械グループとに分類するデータ分類部７とを備えている。これによれば、様々な農業に関する複数の農業マップデータを、作物に関係する作物グループと、機械に関係する機械グループとに分けることができる。そして、作物グループに属する農業マップデータと、機械に属する農業マップデータとを比較することができる。従来の技術では、複数の農業マップデータを集めたとしても、作物系の農業マップデータ同士を比較することが多く、機械との関係性を見出すことはできなかった。例えば、収量マップと生育マップとを比較して農業を分析することがあったとしても収量マップと走行マップとを比較するという考えはなく、機械の動きが作物等に対してどのような影響を及ぼしているかを把握することができない。これに対して、本発明では、収量データ、成分データ、生育データ、土壌成分データ、気象データ、作業データ等の作物系の農業マップデータと、機械データとを比較することができ、これにより、今までは予想できなかった作物への機械の影響を把握することができる。例えば、車速マップと収量マップとを比較した場合、特定の箇所において、車速がある特定の速度の場合の収量が他の速度に比べて向上しているなどといったことを把握することができる。
【００５８】
また、農業支援システム、農業支援装置１は、データ分類部７で分類された作物グループの農業マップデータ（農業マップ）Ｆ１１と、機械グループの農業マップデータ（農業マップ）Ｆ１２とのそれぞれを表示する。作物グループの農業マップデータ（農業マップ）Ｆ１１と、機械グループの農業マップデータ（農業マップ）Ｆ１２とを見比べることで、視覚的に両者に関係性があるか否かを把握することができる。
【００５９】
農業支援システムは、データ選択部５と、相関演算部６とを備えている。データ選択部５及び相関演算部６は、農業支援装置１に設けられた電気・電子部品、当該農業支援装置１に格納されたプログラム等から構成されている。
データ選択部５は、データ分類部７で分類された複数の作物グループデータのうち、選択された作物グループデータを第１データ（作物所属データ）として受け付け、且つ、データ分類部７で分類された複数の機械グループデータのうち、選択された機械グループデータを第２データ（機械所属データ）として受け付ける。
【００６０】
具体的には、作物マップ表示部８１Ａに表示した複数の農業マップＦ１１のうち、１つをポインタ８４によって選択可能である。なお、表示部６６がタッチパネルである場合、操作者等の選択動作によって作物マップ表示部８１Ａに表示した農業マップＦ１１を選択できるようにしてもよい。
作物マップ表示部８１Ａに複数の農業マップＦ１１が表示されている状態にて、ポインタ８４又は選択動作によって、任意の農業マップＦ１１が選択されると、データ選択部５は、選択された任意の農業マップＦ１１の管理情報を保持する。つまり、データ選択部５は、作物マップ表示部８１Ａに表示された複数の農業マップＦ１１のうち、選択された１つの農業マップＦ１１の管理情報を保持することで、当該農業マップＦ１１に対応する作物グループデータを作物所属データとして受け付ける。
【００６１】
機械マップ表示部８１Ｂに複数の農業マップＦ１２が表示されている状態にて、ポインタ８４又は選択動作によって、任意の農業マップＦ１２が選択されると、データ選択部５は、選択された任意の農業マップＦ１２の管理情報を保持する。つまり、データ選択部５は、機械マップ表示部８１Ｂに表示された複数の農業マップＦ１２のうち、選択された１つの農業マップＦ１２の管理情報を保持することで、当該農業マップＦ１２に対応する機械グループデータを機械所属データとして受け付ける。
【００６２】
支援画面Ｍ１に表示された完了ボタン８５が選択されると、データ選択部５による受付が完了し、当該データ選択部５は、保持した農業マップＦ１１の管理情報と、農業マップＦ１２の管理情報とを相関演算部６に出力（通知）する。
相関演算部６は、複数の作物グループデータのうち、データ選択部５によって選択された１つの作物所属データと、複数の機械グループデータのうち、データ選択部５によって選択された１つの機械所属データとの相関を演算する。
【００６３】
相関演算部６は、マップデータ記憶部３Ａを参照し、農業マップＦ１１の管理情報を検索キーとして、複数の農業マップデータの中から作物所属データを抽出する。また、農業マップＦ１２の管理情報を検索キーとして、複数の農業マップデータの中から機械所属データを抽出する。ここで、作物所属データをＧｎ［ｉ］１、機械所属データをＧｎ[ｉ]２とした場合、相関演算部６は、作物所属データＧｎ［ｉ］１と、機械所属データＧｎ[ｉ]２との相関係数を求める。具体的には、相関演算部６は、作物所属データＧｎ［ｉ］１と、機械所属データＧｎ[ｉ]２とを用いて、エリアＱｎ毎の相関係数Ｃｎ（ｎ＝１，２，３・・・ｎ）を求める。例えば、エリアＱ１（ｎ＝１）におけるデータ数が３（ｉ＝３）である場合、作物属データＧｎ［１]１、Ｇ１［２]１、Ｇ１［２]１の全てのデータと、機械所属データＧ１［１]２、Ｇ１［２]２、Ｇ１［２]２の全てのデータとの相関係数を、エリアＱ１の相関係数Ｃ１とする。
【００６４】
そして、相関演算部６は、エリアＱｎ毎の相関係数Ｃｎ（ｎ＝１，２，３・・・ｎ）を求めた後、求めた相関係数Ｃｎを当該相関係数Ｃｎの大きさ（値）に応じて、複数のグループ（複数のランク）が割り当てることで、相関マップＦ２を作成する。作成された相関マップＦ２は支援画面Ｍ１に表示される。
支援画面Ｍ１は、第２マップ表示部８２を含んでいる。第２マップ表示部８２は、相関演算部６で演算した相関を可視化した相関マップＦ２を表示する。即ち、第２マップ表示部８２は、相関演算部６が割り当てたエリアＱｎ毎のランク毎に、色等を変化させた相関マップＦ２を表示する。つまり、第２マップ表示部８２には、圃場等を示したフィールドを複数に分割して、エリアＱｎに相関係数Ｃｎを割り当てたメッシュ型の相関マップＦ２を表示する。上述した実施形態では、相関マップＦ２をメッシュ型のマップで可視化することを例示したが、相関マップＦ２は、上述した例に限定されない。
【００６５】
また、第２マップ表示部８２は、相関マップＦ２と共に、相関係数Ｃｎを演算するのに用いた農業マップＦ１１、Ｆ１２のマップ基本情報（マップ種別、データ種別、取得日等）を表示する。
図６に示すように、支援画面Ｍ１は、設定部８３を表示してもよい。設定部８３は、支援画面Ｍ１に関する様々な設定を行う部分である。設定部８３では、例えば、第１マップ表示部８１に表示する農業マップＦ１１、Ｆ１２の絞り込み情報を入力可能である。絞り込み情報とは、取得日、取得日の範囲、種別等である。絞り込み情報の入力を行った場合は、第１マップ表示部８１（８１Ａ、８１Ｂ）には、複数の農業マップＦ１１、Ｆ１２のうち、絞り込み情報に対応する農業マップＦ１１、Ｆ１２のみを表示することができる。
【００６６】
また、設定部８３には、第１マップ表示部８１及び第２マップ表示部８２で表示する農業マップＦ１１、Ｆ１２、相関マップＦ２におけるエリアＱｎの1辺の長さ（縦の長さ、横の長さ）を設定したり、複数のランク（レベル）の代表値Ｄｎの閾値（範囲）を設定可能である。設定部８３によって、エリアＱｎのメッシュの長さ、ランクの範囲を変更することができる。
【００６７】
上述した実施形態では、相関演算部６は、作物所属データＧｎ［ｉ］１及び機械所属データＧｎ［ｉ］２からエリアＱｎ毎の相関係数Ｃｎを求めていたが、作物所属データＧｎ［ｉ］１及び機械所属データＧｎ［ｉ］２の全体の相関係数ＣＴを求めてもよい。
作物マップ表示部８１Ａにおいて農業マップＦ１１が選択され且つ機械マップ表示部８１Ｂにおいて農業マップＦ１２が選択された場合、選択された農業マップＦ１１に対応する作物所属データＧｎ［ｉ］１と、選択された農業マップＦ１２に対応する機械所属データＧｎ［ｉ］２の全てのデータを用いて全体の相関係数ＣＴを求める。例えば、作物マップ表示部８１Ａにおいて、農業マップＦ１１として生育マップが選択され、機械マップ表示部８１Ｂにおいて、農業マップＦ１２として原動回転マップが選択された場合、作物所属データＧｎ［ｉ］１は生育データ、機械所属データＧｎ［ｉ］２は原動回転データとなる。ここで、データ数が１０（i＝１０）である場合、相関演算部６は、生育データＧｎ［１］１〜Ｇｎ［１０］１と、原動機回転データＧｎ［１］２〜Ｇｎ［１０］２との全てのデータから全体の相関係数ＣＴを求める（ｎ：１〜ｍａｘ）。相関記憶部３Ｂは、生育データＧｎ［ｉ］１に対応する管理情報（００１−００４−００００００００１０）と、原動機回転データＧｎ［ｉ］２に対応する管理情報（００２−００６−００００００００３５）とを関連付けることで、少なくとも種別（マップ種別、データ種別）と相関演算部６が求めた全体の相関係数ＣＴを記憶する。
【００６８】
図７Ａに示すように、上述した実施形態では、相関記憶部３Ｂは、管理情報を全体の相関係数ＣＴと共に記憶していたが、図７Ｂに示すように、基本情報と全体の相関係数ＣＴとを関連付けて記憶してもよい。
表示部６５、６６は、相関記憶部３Ｂに記憶された全体の相関係数ＣＴと、相関係数ＣＴに関連付けられた複数の農業マップデータの種別（マップ種別、データ種別）とを表示する。図８は、支援画面Ｍ２を示している。メニュー画面において、ボタン等が選択されて所定の操作が行われると、固定端末６４の表示部６５に支援画面Ｍ２が表示される。
【００６９】
支援画面Ｍ２は、相関性表示部８６を含んでいる。図８に示すように、相関性表示部８６は、相関記憶部３Ｂに記憶した相関係数ＣＴと、種別（マップ種別、データ種別）との一覧を表示する。例えば、表示制御部４は、相関記憶部３Ｂの管理情報を参照し、当該管理情報から種別を含む基本情報を割り出して、割り出した基本情報と相関係数ＣＴとの一覧表を表示する。
【００７０】
これによれば、作物グループデータ及び機械グループデータにおける相関係数ＣＴと、相関係数ＣＴを演算するのに使用したデータ種別（マップ種別）とを把握することができる。例えば、原動回転マップと生育マップとの関連性が高いか低いかを把握することができる。
なお、表示部６５、６６は、相関係数を求めるのに使用した複数の農業マップデータのうち、相関係数ＣＴが閾値以上となった作物グループデータと機械グループデータとの種別の組み合わせの種別の組み合わせを表示してもよい。例えば、図８に示すように、支援画面Ｍ２の相関性表示部８６には、相関係数ＣＴの上限値、下限値を入力する入力部が示されている。相関係数ＣＴの上限値、下限値が入力された場合、表示制御部４は、相関記憶部３Ｂを参照し、上限値と下限値との間に入る相関係数ＣＴに対応する管理情報を検索する。管理情報を検索後に、管理情報から種別を含む基本情報を割り出して、割り出した基本情報、即ち、作物グループデータと機械グループデータとの種別の組み合わせと、上限値と下限値との間に入る相関係数ＣＴとの一覧表を表示する。これによれば、相関性が高い農業マップ同士を把握したり、相関性が低い農業マップ同士を簡単に把握することができる。
【００７１】
なお、上述した支援画面Ｍ２では、作物グループデータと機械グループデータとの相関係数ＣＴと、作物グループデータと機械グループデータとの種別の種別とを表示していたが、これに代えて、図９に示すように、作物グループデータと機械グループデータとに対応する農業マップＦ１１、Ｆ１２と、相関係数ＣＴとを表示してもよい。
以上によれば、農業支援システム及び／又は農業支援装置１は、作物グループの農業マップデータと、機械グループの農業マップデータとの相関関係を演算する相関演算部６を備えている。したがって、複数の農業マップデータの中から、任意に選んだ作物グループの農業マップデータと、機械グループの農業マップデータとの相関関係が高いか低いかを把握することができる。例えば、任意に選んだ１つの作物グループの農業マップデータと、任意に選んだ１つの機械グループの農業マップデータとの相関関係が高い場合、機械の動作によって作物へ作用させることができる事項を用いて、作物の成長等を促進することができる。
【００７２】
また、農業支援システム及び／又は農業支援装置１は、作物グループに属する複数の農業マップデータのうち、選択された農業マップデータを第１データ（作物所属データ）として受け付け、且つ、機械グループに属する複数の農業マップデータのうち、選択された農業マップデータを第２データ（機械所属データ）として受け付けるデータ選択部５を備えている。
これによれば、様々な農業マップデータがあったとしても、作物系の農業マップデータと機械系の農業マップデータとを簡単に選択することができ、両者のデータの処理を実行し易い。
【００７３】
表示部６５、６６は、相関演算部６で求めた相関を表示する。これによれば、表示部６５、６６に示された相関を見るだけで、相関性が強い箇所と弱い箇所とを把握することができる。
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００７４】
例えば、農業マップデータの農業マップを表示等をする際に、圃場等を示す画像と農業マップとを重ねて表示してもよい。トラクタ１０、コンバイン３０、田植機４０等の農業機械が走行したときの位置検出装置７０Ａ、７０Ｂ、７０Ｃの位置の軌跡を「走行軌跡」とし、走行軌跡を農業マップデータとして扱ってもよい。マルチコプター５０で散布等の作業を行う場合は、当該マルチコプター５０の飛行軌跡も農業マップデータとして扱ってもよい。この場合、作物マップ表示部８１Ａに表示された作物データ（収量データ、成分データ、生育データ）、土壌データにおける作物系マップＦ１１と、機械マップ表示部８１Ｂに表示された軌跡（走行軌跡、飛行軌跡）に対応する軌跡マップ（走行マップ、飛行マップ）Ｆ１２とが選択された場合、表示制御部４の制御によって、支援画面に、作物系マップＦ１１、走行マップＦ１２とを重ね合わせて表示することによって、両者の相関性を確認することができる。例えば、コンバイン３０の走行マップＦ１２と収量マップＦ１１とを重ねて表示した場合において、コンバイン３０が複数回通過していると特定の場所が存在していて、当該コンバイン３０によって踏み固められた特定の場所の収量が向上しているなどといったことを把握することができる。
【符号の説明】
【００７５】
１    農業支援装置
２  データ取得部
３  記憶部
３Ａ  マップデータ記憶部
３Ｂ  相関記憶部
４  表示制御部
５  データ選択部
６  相関演算部
１０  トラクタ
１１  車体
１２  原動機
１３  変速装置
１４  運転席
１５  操縦装置
１６  連結部
１７  インプルメント
１９  制御装置
２０Ａ  記憶部
２０Ｂ  記憶部
２０Ｃ  記憶部
２０Ｄ  記憶部
３０  コンバイン
３１  車体
３２  原動機
３３  グレンタンク
３４  刈取装置
３５  制御装置
３６  測定装置
４０  田植機
４１  車体
４２  原動機
４３  変速装置
４４  苗植付装置
４５  苗載せ台
４６  制御装置
５０  マルチコプタ
５０ａ  機体
５０ｂ  アーム
５０ｃ  回転翼
５０ｄ  スキッド
５０ｅ  撮像装置
６０Ａ、６０Ｂ、６０Ｃ、６０Ｄ  通信装置
６１  携帯端末
６２  記憶媒体
６３  入出力装置
６４  固定端末
６５  表示部
６６  表示部
７０Ａ  位置検出装置
７０Ｂ  位置検出装置
７０Ｃ  位置検出装置
７０Ｄ  位置検出装置
８１  第１マップ表示部
８２  第２マップ表示部
８３  設定部
８４  ポインタ
８５  完了ボタン
８６  相関性表示部
Ｆ１  農業マップ（第１マップ、選択マップ）
Ｆ２  相関マップ
Ｑｎ  エリア
Ｇｎ［ｉ］  データ
Ｄｎ  代表値
Ｆ１  農業マップ（第１マップ、選択マップ）
Ｃｎ  エリア毎の相関係数
【図１】
2019109792.tif 000003
【図２】
2019109792.tif 000004
【図３】
2019109792.tif 000005
【図４】
2019109792.tif 000006
【図５】
2019109792.tif 000007
【図６】
2019109792.tif 000008
【図７Ａ】
2019109792.tif 000009
【図７Ｂ】
2019109792.tif 000010
【図８】
2019109792.tif 000011
【図９】
2019109792.tif 000012